(57)【要約】【課題】筆記用具に装着した装飾体が筆記用具から脱落することを防止可能であり、筆記用具に装着した装飾体が他のものを傷つけることを防止可能な筆記用具の提供。【解決手段】透明な樹脂製の軸筒２０と、軸筒２０の中に収納されたボールペンレフィール３０と、軸筒２０の中に収納された装飾体５０と、によって筆記用具１を形成し、装飾体５０を貫通する孔５１にボールペンレフィール３０を挿通し、軸筒２０内において、軸筒２０の内周面２１と装飾体５０の表面５２との間に、隙間６０を形成する。【選択図】  図１
0003170929.tif 000002
【実用新案登録請求の範囲】
【請求項１】
透明または半透明の樹脂によって形成された軸筒と、当該軸筒の中に収納されたボールペンレフィールと、を有する筆記用具であって、
貴石または半貴石が、装飾体として前記軸筒の中に収納されており、孔が当該装飾体を貫通して形成されており、当該孔にボールペンレフィールが挿通されており、
前記軸筒内において、前記軸筒の内周面と前記装飾体の表面との間に、隙間が形成されていることを特徴とする筆記用具。
【請求項２】
透明または半透明の樹脂によって形成された軸筒と、当該軸筒の中に収納された筆記用芯送り出し機構及び筆記用芯タンクと、を有する筆記用具であって、
貴石または半貴石が、装飾体として前記軸筒の中に収納されており、孔が当該装飾体を貫通して形成されており、当該孔に筆記用芯タンクが挿通されており、
前記軸筒内において、前記軸筒の内周面と前記装飾体の表面との間に、隙間が形成されていることを特徴とする筆記用具。
【考案の詳細な説明】
【技術分野】
【０００１】
本考案は、筆記用具に関する。
【背景技術】
【０００２】
我々が日常生活を営む上で、筆記用具は不可欠な道具である。我々の身の回りにある代表的な筆記用具としてボールペンやシャープペンシルを挙げることができる。多くのボールペンは、軸筒の中にボールペンレフィールを収納している（特許文献１を参照）。また、多くのシャープペンシルは、軸筒の中に筆記用芯送り出し機構及び筆記用芯タンクを収納している（特許文献２を参照）。
【０００３】
また、現代人は様々なストレスを受けつつ生活をしている。このようなストレスを和らげたり心理的な癒し効果を求めるために、貴石（ｐｒｅｃｉｏｕｓ  ｓｔｏｎｅ）や半貴石（ｓｅｍｉｐｒｅｃｉｏｕｓ  ｓｔｏｎｅ）を身の回りに置くことが近年多く見うけられる。かかる貴石や半貴石の中には、ある種の特殊な力が宿っていると信じられているものがあり、このような石は一般にパワーストーンと呼ばれている。そして、愛好家からは、パワーストーンを周囲に置く等することによって、良い結果が石からもたらされると信じられている。
パワーストーンを身近に置くために、半球状等に加工した小さなパワーストーンが装飾体として筆記用具の軸筒表面に貼付されることがある。
【先行技術文献】
【特許文献】
【０００４】
【特許文献１】特開２００６−２６４０９５号公報
【特許文献２】特開２００３−３９８８１号公報
【考案の概要】
【考案が解決しようとする課題】
【０００５】
筆記用具は日常生活の様々な場面において多用される。そして、筆記用具は他のものと一緒に保管されたり持ち運ばれたりすることが多く、筆記用具が他のものに当たる機会は非常に多い。
筆記用具の軸筒表面に貴石や半貴石が装飾体として貼付されている場合、装飾体が他のものに当たったり引っかかったりすると、せっかく貼付した装飾体が剥がれ落ちることがある。筆記用具から剥がれ落ちた装飾体は小さいのでそのまま紛失してしまうことが多い。また、剥がれ落ちた装飾体を再度貼付し直すのも煩雑な作業である。
【０００６】
貴石や半貴石を装飾体として軸筒表面に貼付した筆記用具を筆箱に入れて持ち運ぶ場合、装飾体が、同じ筆箱の中に入っている他の筆記用具とぶつかる。そして、装飾体が、ぶつかった筆記用具に傷をつけてしまう。
本考案は、上記問題を解決するものであり、その目的とするところは、筆記用具に装着した装飾体が筆記用具から脱落することを防止可能であり、筆記用具に装着した装飾体が他のものを傷つけることを防止可能な筆記用具を提供することである。
【課題を解決するための手段】
【０００７】
本考案は、その課題を解決するために以下のような構成をとる。請求項１の考案に係る筆記用具は、透明または半透明の樹脂によって形成された軸筒と、当該軸筒の中に収納されたボールペンレフィールと、を有する筆記用具であって、貴石または半貴石が、装飾体として前記軸筒の中に収納されており、孔が当該装飾体を貫通して形成されており、当該孔にボールペンレフィールが挿通されており、前記軸筒内において、前記軸筒の内周面と前記装飾体の表面との間に、隙間が形成されていることを特徴とする。
【０００８】
請求項２の考案に係る筆記用具は、透明または半透明の樹脂によって形成された軸筒と、当該軸筒の中に収納された筆記用芯送り出し機構及び筆記用芯タンクと、を有する筆記用具であって、貴石または半貴石が、装飾体として前記軸筒の中に収納されており、孔が当該装飾体を貫通して形成されており、当該孔に筆記用芯タンクが挿通されており、前記軸筒内において、前記軸筒の内周面と前記装飾体の表面との間に、隙間が形成されていることを特徴とする。
【０００９】
装飾体をなす貴石または半貴石には、孔が貫通しており、この孔にボールペンレフィールまたは筆記用芯タンクが挿通され、ボールペンレフィールまたは筆記用芯タンクと装飾体とは、軸筒の中に収納されている。このため、筆記用具を通常に使用する状態にあっては、装飾体が筆記用具から脱落したりすることはない。
また、装飾体は軸筒の中に収納されているので、筆記用具を筆箱の中に入れておいても、筆箱の中で装飾体が筆箱の中の他のものと直接接触することは起こらず、装飾体が筆箱の中の他のものを傷つけることもない。
【００１０】
さらに、軸筒の中において、軸筒の内周面と装飾体の表面との間に、隙間が形成されているので、装飾体が軸筒の内周面に接触することが防止され、装飾体が軸筒の内周面を傷つけることもない。
なお、ボールペンレフィールを有する筆記用具は、ボールペンレフィールの先端が軸筒の先端部から常時突出しているものであってもよいし、ボールペンレフィールの先端が軸筒の先端部から出入りする構造を有するものであってもよい。
【００１１】
また、筆記用芯送り出し機構及び筆記用芯タンクを有する筆記用具は、筆記用芯送り出し機構の先端側にある筆記用芯ガイドパイプの先端が軸筒の先端部から常時突出しているものであってもよいし、筆記用芯ガイドパイプの先端が軸筒の先端部から出入りする構造を有するものであってもよい。
【考案の効果】
【００１２】
上記のような筆記用具であるので、筆記用具に装着した装飾体が筆記用具から脱落することを防止可能であり、筆記用具に装着した装飾体が他のものを傷つけることを防止可能である。
【図面の簡単な説明】
【００１３】
【図１】筆記用具の軸筒の部分縦断面図である。
【考案を実施するための形態】
【００１４】
本考案の実施の形態を図１（ｉ）を参照しつつ説明する。
筆記用具１は、ボールペン１０であり、軸筒２０と、ボールペンレフィール３０と、複数個の装飾体５０と、を有する。
軸筒２０は、透明な樹脂製の筒体である。
ボールペンレフィール３０は、インキ収容管３１と、チップ（図示せず）と、を有する。インキ収容管３１は、樹脂製のパイプであり、内部にインキ（図示せず）が充填されている。インキ収容管３１の先端には、前記チップが挿入されている。
【００１５】
装飾体５０は、貴石または半貴石であり、球形をなす。装飾体５０の外径は、軸筒２０の内径よりも小さい。装飾体５０には、装飾体５０の中心を通る孔５１が貫通して形成されている。孔５１の径は、インキ収容管３１の外径よりもわずかに大きく、インキ収容管３１を挿通可能な大きさである。
インキ収容管３１が、複数個の装飾体５０の孔５１に挿通されている。ボールペンレフィール３０は、装飾体５０とともに軸筒２０の中に収納されている。ボールペンレフィール３０の先端部と後端部は、軸筒２０の先端部と後端部によって支承されており、ボールペンレフィール３０の長手方向の中心軸線と、軸筒２０の長手方向の中心軸線と、が、互いに一致している。
【００１６】
軸筒２０の中において、軸筒２０の内周面２１と装飾体５０の表面５２との間に、隙間６０が形成されている。
筆記用具１は、以上に説明した構成を有する。次に，筆記用具１が奏する作用効果について説明する。
筆記用具１において、軸筒２０が透明であるため、外側から軸筒２０の中の装飾体５０が見える。このため、筆記用具１の使用者は、筆記用具１を手にすればいつでも装飾体５０を見ることができ、装飾体５０をなす貴石または半貴石から心理的な癒しを受けることができる。また、筆記用具１の使用者は、装飾体５０の装飾効果を楽しむこともできる。
【００１７】
装飾体５０は、軸筒２０の中に収納されているので、筆記用具１を分解でもしない限り、装飾体５０が筆記用具１から脱落することはない。したがって、筆記用具１に装着した装飾体５０がいつのまにか無くなってしまうことがなく、筆記用具１に装飾体５０を装着しなおすという煩雑な作業もなくなる。
装飾体５０は、軸筒２０の中に収納されているので、筆記用具１を筆箱に他のものと一緒に入れておく場合でも、装飾体５０が、筆箱の中の他のものに直接触れることはなく、装飾体５０が、筆箱の中の他のものを傷つけることもない。
【００１８】
軸筒２０の中において、軸筒２０の内周面２１と装飾体５０の表面５２との間に、隙間６０が形成されているので、装飾体５０が、軸筒２０の内周面２１に直接触れることはなく、装飾体５０が、軸筒２０の内周面２１を傷つけることもない。
本実施の形態においては、筆記用具１がボールペン１０であるとしたが、図１（ｉｉ）に示すように、筆記用具１は、シャープペンシル１１であってもよい。
【００１９】
筆記用具１がシャープペンシル１１である場合、筆記用具１がボールペン１０である場合と比べて以下に述べる点が異なる。なお、筆記用具１がボールペン１０である場合と同様の構成については、同じ符号を付する。
シャープペンシル１１は、軸筒２０と、筆記用芯送り出し機構４２と、筆記用芯タンク４０と、複数個の装飾体５０と、を有する。筆記用芯タンク４０は、筒状をなす。筆記用芯送り出し機構４２と、筆記用芯タンク４０と、は、一体化して軸筒２０の中に収納されている。
【００２０】
装飾体５０が有する孔５１の径は、筆記用芯タンク４０の外径よりもわずかに大きく、筆記用芯タンク４０を挿通可能な大きさである。
筆記用芯タンク４０が、複数個の装飾体５０の孔５１に挿通されている。筆記用芯送り出し機構４２と筆記用芯タンク４０とが装飾体５０とともに軸筒２０の中に収納されている。筆記用芯タンク４０の先端側端部には小さな突起４１が周方向に連続して形成されている。突起４１が形成されている部分において、突起４１を含めた筆記用芯タンク４０の外径は、装飾体５０の孔５１の径よりも大きい。
【００２１】
前記筆記用芯送り出し機構の先端部は、軸筒２０の先端部によって支承されており、筆記用芯タンク４０の後端部は、軸筒２０の後端部によって支承されている。筆記用芯タンク４０の長手方向の中心軸線と、軸筒２０の長手方向の中心軸線と、が、互いに一致している。
他の構成は、筆記用具１がボールペン１０である場合の構成と同様であり、説明を省略する。
また、筆記用具１がシャープペンシル１１である場合の作用効果は、以下の点を除いて、筆記用具１がボールペン１０である場合の作用効果と同様である。同様の作用効果については説明を省略する。
【００２２】
軸筒２０の中において、装飾体５０が筆記用芯タンク４０側から筆記用芯送り出し機構４２側へ移動しようとしても、突起４１が装飾体５０の移動を防止する。したがって、装飾体５０によって筆記用芯送り出し機構４２の機能が邪魔される等の不具合は防止されている。
なお、突起４１を筆記用芯タンク４０の先端側端部に形成する代わりに、突起４１を軸筒２０の内周面２１上に形成してもよい。この場合、内周面２１上に突起４１を形成する位置は、筆記用芯タンク４０の先端側端部と対向する位置である。
【産業上の利用可能性】
【００２３】
上記のような筆記用具であるので、装飾効果と心理的な癒し効果を有する筆記用具として有用である。
【符号の説明】
【００２４】
１    筆記用具
１０    ボールペン
１１    シャープペンシル
２０    軸筒
２１    軸筒の内周面
３０    ボールペンレフィール
３１    インキ収容管
４０    筆記用芯タンク
４１    突起
４２    筆記用芯送り出し機構
５０    装飾体
５１    装飾体の孔
５２    装飾体の表面
６０    隙間
【図１】
0003170929.tif 000003